(57)【要約】  【課題】可燃性冷媒を用いた冷却システムにおいて、除霜時の冷凍室の庫内温度上昇を抑えることができる冷蔵庫を提供することを目的とする。  【解決手段】除霜手段３９による除霜が終了した後の圧縮機が停止している任意の時間は、各空気調整手段４０、４２、４５の少なくとも１つの空気調整手段を開にすることで除霜による冷却室の暖気は冷凍温度帯の貯蔵室には流入せず、冷凍温度帯の貯蔵室の温度上昇を極力抑え、冷凍食品等への影響をなくすことができる冷蔵庫を提供することができるものである。【選択図】図２
2008039247.tif 000002
【特許請求の範囲】
【請求項１】
圧縮機と、凝縮器と、減圧機構と、冷却器とを順次接続してなる冷凍サイクルに可燃性冷媒を封入し、前記蒸発器の除霜手段と、冷気を送風する冷却ファンと、冷蔵温度帯の貯蔵室と、冷凍温度帯の貯蔵室と、製氷室と、特定温度帯の貯蔵室を有し、前記冷蔵温度帯の貯蔵室及び製氷室及び特定温度帯の貯蔵室は、各空気調整手段により温度を調節し、前記除霜手段による除霜が終了した後の前記圧縮機が停止している任意の時間は、前記各空気調整手段の少なくとも１つの空気調整手段を開にすることを特徴とする冷蔵庫。
【請求項２】
除霜後の前記圧縮機動作開始より任意の時間、前記冷却ファンを停止させる間は、前記各空気調整手段の少なくとも１つの空気調整手段を開にすることを特徴とする請求項１に記載の冷蔵庫。
【請求項３】
除霜後の前記冷却ファン動作開始より任意の時間は、前記各空気調整手段の少なくとも１つの空気調整手段を閉にすることを特徴とする請求項１または請求項２に記載の冷蔵庫。
【請求項４】
除霜後の前記冷却ファン動作開始より、前記各空気調整手段の少なくとも１つの空気調整手段を任意の時間間隔で開閉を繰り返すことを特徴とする請求項１または請求項２に記載の冷蔵庫。
【発明の詳細な説明】
【技術分野】
【０００１】
本発明は、冷蔵庫の冷却構成に関するものである。
【背景技術】
【０００２】
近年、可燃性冷媒を用いた冷蔵庫が発売されており、例えば特許文献１のような冷蔵庫が知られている。
【０００３】
すなわち、可燃性冷媒が漏洩した場合での安全性を確保するため、除霜時のガラス管表面の温度を下げる必要がある。その手段として例えば、特許文献１に示すような方法がある。図４は、特許文献１に記載された冷蔵庫の断面を示すものであり、ガラス管ヒータ１９、２０は、ガラス管内に金属材料、たとえばニッケルクロムなどからなるヒータ線をスパイラル状に成形して設けている。そして、ガラス管ヒータ１９、２０は、蒸発器１０の下部に前後方向に並べて配置し、一方のガラス管ヒータ１９、２０を蒸発器の最下位配管２１の近傍に配置している。冷却室２２には、蒸発器１０やファン１１や屋根１６やガラス管ヒータ１９、２０が設置されている。
【特許文献１】特開２００２−２６７３３１号公報
【発明の開示】
【発明が解決しようとする課題】
【０００４】
しかしながら上記従来の構成では、ガラス管ヒータを複数個設置するためガラス管表面積が多くなり、不必要な箇所への加熱量が増大し除霜時の冷却室内空気温度を高くしてしまう。これにより除霜後のファン運転時には冷凍室へ高温の空気が流入し、冷凍室温度が高くなり、最悪の場合冷凍食品等が解けてしまうという課題を有していた。
【０００５】
本発明は、上記従来の課題を解決するもので、冷凍室温度上昇を極力抑え、冷凍食品等への影響をなくすことができる冷蔵庫を提供することを目的とする。
【課題を解決するための手段】
【０００６】
上記従来の課題を解決するために、圧縮機と、凝縮器と、減圧機構と、蒸発器とを順次接続してなる冷凍サイクルに可燃性冷媒を封入し、前記蒸発器の除霜手段と、冷気を送風する冷却ファンと、冷蔵温度帯の貯蔵室と、冷凍温度帯の貯蔵室と、製氷室と、特定温度帯の貯蔵室を有し、前記冷蔵温度帯の貯蔵室及び製氷室及び特定温度帯の貯蔵室は、各空気調整手段により温度を調節し、前記除霜手段による除霜が終了した後の前記圧縮機が停止している任意の時間は、前記各空気調整手段の少なくとも１つの空気調整手段を開にするものである。
【０００７】
これによって、除霜による冷却室の暖気は冷凍室には流入せず、冷凍温度帯の貯蔵室の温度上昇を極力抑え、冷凍食品等への影響をなくすことができる。
【発明の効果】
【０００８】
本発明の冷蔵庫は、空気調整手段の開閉の制御をするだけで、簡単に冷凍室温度上昇を極力抑え、冷凍食品等への影響をなくすことができる。また、冷凍室へは高温の湿気を含んだ空気の流入がなく、冷凍温度帯の貯蔵室の側壁等への着霜を防止できる。
【発明を実施するための最良の形態】
【０００９】
請求項１に記載の冷蔵庫は、圧縮機と、凝縮器と、減圧機構と、蒸発器とを順次接続してなる冷凍サイクルに可燃性冷媒を封入し、前記蒸発器の除霜手段と、冷気を送風する冷却ファンと、冷蔵温度帯の貯蔵室と、冷凍温度帯の貯蔵室と、製氷室と、特定温度帯の貯蔵室を有し、前記冷蔵温度帯の貯蔵室及び製氷室及び特定温度帯の貯蔵室は、各空気調整手段により温度を調節し、前記除霜手段による除霜が終了した後の前記圧縮機が停止している任意の時間は、前記各空気調整手段の少なくとも１つの空気調整手段を開にするものであり、除霜による冷却室の暖気は冷凍室には流入せず、冷凍温度帯の貯蔵室の温度上昇を極力抑え、冷凍食品等への影響をなくすことができる。
【００１０】
請求項２に記載の冷蔵庫は、除霜後の前記圧縮機動作開始より任意の時間、前記冷却ファンを停止させる間は、前記各空気調整手段の少なくとも１つの空気調整手段を開にするものであり、冷凍温度帯の貯蔵室へは高温の湿気を含んだ空気の流入がなく、冷凍温度帯の貯蔵室の側壁等への着霜を防止できる。
【００１１】
請求項３に記載の冷蔵庫は、除霜後の前記冷却ファン動作開始より任意の時間は、前記各空気調整手段の少なくとも１つの空気調整手段を閉にするものであり、冷凍温度帯の貯蔵室に送り込まれる冷気を低くでき、冷凍温度帯の貯蔵室を短時間で設定温度に復帰でき、冷凍食品等への悪影響をなくすことができる。
【００１２】
請求項４に記載の冷蔵庫は、除霜後の前記冷却ファン動作開始より、前記各空気調整手段の少なくとも１つの空気調整手段を任意の時間間隔で開閉を繰り返すものであり、冷凍温度帯の貯蔵室以外の貯蔵室への温度上昇による悪影響をも極力抑えることができる。
【００１３】
以下、本発明の実施の形態について、図面を参照しながら説明する。なお、この実施の形態によってこの発明が限定されるものではない。
【００１４】
（実施の形態１）
図１は本発明の実施の形態１による冷蔵庫の正面図である。図２は本発明の実施の形態１による冷蔵庫の風路を示す正面図である。図３は本発明の実施の形態１による冷蔵庫の断面図である。
【００１５】
図１に示すように、冷蔵庫本体２３は、上下方向の全高で左右に分断された左区画２４と、右区画２５に区画されている。左区画２４は中央付近に製氷室２６が配置され、製氷室２６の上方には引出し扉で構成された冷蔵スライド室２７を、製氷室２６の下方には引出し扉で構成された冷凍スライド室２８が配置されている。
【００１６】
一方、右区画２５には、上から冷蔵室２９、野菜室３０、冷凍室３１が配置されていて、それぞれの部屋の前面開口は扉により塞がれている。なお、冷蔵スライド室２７と冷蔵室２９は上下方向の同一線上で区画されているが、冷蔵スライド室２７の高さと、冷蔵室２９の高さが違う、すなわち段差がつくよう構成されていても構わない。
【００１７】
図２、３において、第１の仕切り壁３２は、冷蔵スライド室２７及び冷蔵室２９と製氷室２６及び野菜室３０を仕切っている。第２の仕切り壁３３は、製氷室２６と冷凍スライド室２８を仕切っている。第３の仕切り壁３４は、野菜室３０と冷凍室３１を仕切っている。冷却器３５と２本のガラス管ヒータ３９と冷却ファン３６は冷凍室３１及び野菜室３０の背面に設置される。冷却ファン３６から吐出された冷気は冷凍室３１内と製氷室用吐出風路３７及び冷蔵室用吐出風路３８に分岐している。冷蔵室用吐出風路３８は、冷蔵室２９奥面に配置し、冷蔵室ダンパー４０を介して冷蔵室２９及び冷蔵スライド室２７に冷気を吐出し、チルド室ダンパー４４を介して冷蔵室２９内に配置するチルド室（図示せず）に冷気を吐出する。
【００１８】
製氷室用吐出風路３７内の製氷室ダンパー４５を介して製氷室２６内に冷気を吐出し製氷室２６を冷却した冷気は、製氷室戻り風路４１から冷凍スライド室２８に流入し、冷凍スライド室を冷却した後冷却器吸込口４６に戻る。
【００１９】
野菜室３０は、冷蔵室戻り風路から吐出された冷気により冷却され、野菜室戻り風路４３から冷却器吸込口４６に戻る。
【００２０】
以上のように構成された冷蔵庫について、以下その動作について説明する。
【００２１】
冷蔵庫の運転状態によって所定の除霜のタイミングがくると、ガラス管ヒータ３９に通電し除霜を開始する。除霜中は、冷蔵室ダンパー４０及びチルド室ダンパー４４及び製氷室ダンパー４５は閉じることで冷却器３５周辺の暖気を各室に漏らすことなく効率的に除霜を行い、冷却器周辺の各部の温度が所定の温度となると除霜を終了させる。
【００２２】
そして除霜終了後は、任意の時間遅延させた後圧縮機（図示せず）を運転させ、また冷却ファン３６は、圧縮機運転開始から任意の時間遅延させた後運転させる。この時冷蔵室ダンパー４０及びチルド室ダンパー４４及び製氷室ダンパー４５は強制的に開とし、除霜時の暖湿気を冷蔵室２９、製氷室２６、チルド室に逃がすことで、冷凍室３１への除霜時の暖湿気の流入を防止し、冷凍室３１の温度上昇を極力抑え、冷凍食品等への影響をなくすことができ、さらに湿気による庫内の壁の着霜も防止できる。
【００２３】
冷却ファン３６運転後は、冷凍室３１を所定の設定温度に冷却するまでは、任意の時間間隔で強制的に冷蔵室ダンパー４０及びチルド室ダンパー４４及び製氷室ダンパー４５の開閉を繰り返す。これにより、冷凍室３１に送り込まれる冷気を低くでき、冷凍室３１を短時間で設定温度に復帰でき、冷凍食品等への悪影響をなくすことができる。
【００２４】
なお本実施の形態では２本のガラス管ヒータとしたが、１本のガラス管ヒータでの同様の効果が得られる。また、除霜後の冷蔵室ダンパー４０及びチルド室ダンパー４４及び製氷室ダンパー４５の開閉を同様に行ったが、どれか一つのダンパーのみの開閉においても同様の効果を得られる。
【産業上の利用可能性】
【００２５】
以上のように、本発明にかかる冷蔵庫は、ダンパーの開閉の制御をするだけで、簡単に冷凍室温度上昇を極力抑え、冷凍食品等への影響をなくすことができる。また、冷凍室へは高温の湿気を含んだ空気の流入がなく、冷凍温度帯の貯蔵室の側壁等への着霜を防止できるので、可燃性冷媒を用いた冷凍機器全般の除霜方法の用途にも適用できる。
【図面の簡単な説明】
【００２６】
【図１】本発明の実施の形態１による冷蔵庫の正面図
【図２】本発明の実施の形態１による冷蔵庫の風路を示す正面図
【図３】本発明の実施の形態１による冷蔵庫の断面図
【図４】従来の冷蔵庫の断面図
【符号の説明】
【００２７】
２６  製氷室
２７  冷蔵スライド室
２８  冷凍スライド室
２９  冷蔵室
３１  冷凍室
３５  冷却器
３６  冷却ファン
３９  ガラス管ヒータ
４０  冷蔵室ダンパー（空気調整手段）
４２  チルド室ダンパー（空気調整手段）
４５  製氷室ダンパー（空気調整手段）
【図１】
2008039247.tif 000003
【図２】
2008039247.tif 000004
【図３】
2008039247.tif 000005
【図４】
2008039247.tif 000006